(57)【要約】【課題】  作業者の安全を確保すべく、安全帯のフックを確実に掛止させることができ、作業者がバランスを崩すことで安全帯を介して大きな荷重が作用しても折れ曲がったり破断したりすることのないステップボルトを提供する。【解決手段】  雄ネジ部２０と、該雄ネジ部２０に略同心で連設された棒状のステップ部３とを備え、前記雄ネジ部２０を介して架線用構造物Ｔに螺設されるステップボルトであって、雄ネジ部２０よりもステップ部３側に形成され、雄ネジ部２０を介して架線用構造物Ｔに螺設するに際し架線用構造物Ｔに当接する位置決部３１と、ステップ部３の基端側に形成され、安全帯ＳｂのフックＦを掛止させるための掛止部３３と、該掛止部３３にステップ部３の先端側で隣接して形成され、前記掛止部３３に掛止させたフックＦの軸心方向の移動を規制する規制部３４とを備えていることを特徴とする。【選択図】図１
2007056463.tif 000002
【特許請求の範囲】
【請求項１】
雄ネジ部と、該雄ネジ部に略同心で連設された棒状のステップ部とを備え、前記雄ネジ部を介して架線用構造物に螺設されるステップボルトであって、雄ネジ部よりもステップ部側に形成され、雄ネジ部を介して架線用構造物に螺設するに際し架線用構造物に当接する位置決部と、ステップ部の基端側に形成され、安全帯のフックを掛止させるための掛止部と、該掛止部にステップ部の先端側で隣接して形成され、前記掛止部に掛止させたフックの軸心方向の移動を規制する規制部とを備えていることを特徴とするステップボルト。
【請求項２】
前記掛止部は、位置決部又はステップ部の何れか一方に形成され、前記規制部は、位置決部又はステップ部上に形成された凸部で構成されている請求項１記載のステップボルト。
【請求項３】
前記ステップ部又は位置決部の少なくとも何れか一方に連結されたリング体を備え、該リング体で前記掛止部及び規制部を構成するようにした請求項１記載のステップボルト。
【発明の詳細な説明】
【技術分野】
【０００１】
本発明は、送電線や電話線等が架線される電柱や鉄塔等の架線用構造物に対して作業者が昇降する際に用いられるステップボルトに関する。特には、雄ネジ部と、該雄ネジ部に略同心で連設された棒状のステップ部とを備え、前記雄ネジ部を介して架線用構造物に螺設されるステップボルトに関する。
【背景技術】
【０００２】
従来から、送電線や電話線等を架線するための電柱や鉄塔等の架線用構造物に対して作業者が昇降する際や、架線用構造物の高所で作業を行う際にステップボルトが用いられている。
【０００３】
かかるステップボルトは、図６（イ）に示す如く、雄ネジ部２０と、該雄ネジ部２０に連設された棒状のステップ部３とで構成されおり、該ステップ部３の先端には、該ステップ部３の軸径よりも大径に設定された頭部３０が形成されている。
【０００４】
該ステップボルト１は、雄ネジ部２０に位置決用ナットＮ２を螺嵌した状態で、該雄ネジ部２０を架線用構造物Ｔに挿通し、該雄ネジ部２０の先端側に締結用ナットＮ１を螺合することで両ナットＮ１，Ｎ２で架線用構造物Ｔを締め付けて取り付けるようになっている。
【０００５】
これにより、作業者は、架線用構造物Ｔに取り付けたステップボルト１を梯子代わりにして架線用構造物Ｔに対して昇降したり、ステップボルト１のステップ部３に載った状態（高所）で適宜作業を行ったりすることができる。
【０００６】
ところで、架線用構造物Ｔに対する昇降や高所での作業は、危険を伴うものであるため、作業者は安全帯Ｓｂを着用して昇降動作や作業を行っている。この安全帯Ｓｂの先端にはフックＦが設けられており、該フックＦを架線用構造物Ｔに設けられたレールやステップボルト１に掛止させ、墜落等の事故を未然に防止するようにしている。
【０００７】
即ち、ステップボルト１は、ステップ部３の先端に頭部３０が形成されているので、該ステップ部３にフックＦを掛止させれば、作業者が作業中や昇降動作中にバランスを崩して安全帯Ｓｂが引っ張られても、ステップ部３に掛止したフックＦが頭部３０に引っかかって、フックＦの脱落を防止できるようになっている。（例えば、特許文献１参照）
【特許文献１】特開平１０−２４３５３６号公報
【発明の開示】
【発明が解決しようとする課題】
【０００８】
ところで、上記構成のステップボルト１は、雄ネジ部２０に螺嵌した位置決用ナットＮ２と締結用ナットＮ１とで架線用構造物Ｔを挟み込んで取り付けるようにしているため、位置決用ナットＮ２の配置によっては、架線用構造物Ｔに螺設した状態で雄ネジ部２０の一部が位置決用ナットＮ２より外側（ステップ部３側）に存在する場合がある。
【０００９】
そのため、作業者がバランスを崩した際に、安全帯ＳｂのフックＦが頭部３０側に移動すると、ステップ部３の先端側に大きな荷重が作用してステップ部３の基端側（雄ネジ部２０の一部）に大きな曲げモーメントが作用することになる。
【００１０】
ところが、雄ネジ部２０にはネジ溝（図示しない。）が形成されているため、当該部分は応力集中が発生し易い上に曲げ強度が低く、位置決用ナットＮ２よりも外側に位置する雄ネジ部２０（ネジ部分）に大きな曲げモーメントが作用すると、図６（ロ）に示す如く、ステップ部３の基端側（雄ネジ部２０の一部）で大きく折れ曲がってしまう場合がある。このようにステップボルト１が折れ曲がると、ステップ部３にフックＦが掛止した状態（頭部３０に係止された状態）で維持できなくなる場合があり、作業者の安全を確実に確保することができないといった問題がある。
【００１１】
特に、作業者がバランスを崩した際にフックＦがステップ部３の頭部３０側に急激に移動した場合には、フックＦが頭部３０に係止されるときに大きな衝撃を伴うため、図６（ニ）に示す如く、折れ曲がりで留まらずにステップ部３と雄ネジ部２０との境界付近（位置決用ナットＮ２付近）で破断する虞があり、作業者の安全を確実に確保できないといった問題があった。
【００１２】
そこで、本発明は、斯かる実情に鑑み、作業者の安全を確保すべく、安全帯のフックを確実に掛止させることができ、作業者がバランスを崩すことで安全帯を介して大きな荷重が作用しても、折れ曲がったり破断したりすることのないステップボルトを提供することを課題とする。
【課題を解決するための手段】
【００１３】
本発明に係るステップボルトは、雄ネジ部と、該雄ネジ部に略同心で連設された棒状のステップ部とを備え、前記雄ネジ部を介して架線用構造物に螺設されるステップボルトであって、雄ネジ部よりもステップ部側に形成され、雄ネジ部を介して架線用構造物に螺設するに際し架線用構造物に当接する位置決部と、ステップ部の基端側に形成され、安全帯のフックを掛止させるための掛止部と、該掛止部にステップ部の先端側で隣接して形成され、前記掛止部に掛止させたフックの軸心方向の移動を規制する規制部とを備えていることを特徴とする。
【００１４】
本発明に係るステップボルトによれば、雄ネジ部を介して架線用構造物に螺設するに際し、該架線用構造物に当接する位置決部が雄ネジ部よりもステップ部側に形成されているので、位置決部を架線用構造物に当接させた状態にすると、切欠係数の大きいネジ部分が架線用構造物から外側に露呈することがない。これにより、ステップ部の先端に荷重が作用してステップ部の基端側に曲げモーメントが作用しても十分に対抗できる強度にすることができる。
【００１５】
その上、ステップ部の基端側に安全帯のフックを掛止させる掛止部が形成されると共に、掛止部に掛止させたフックの軸心方向の移動を規制する規制部がステップ部の先端側で掛止部に隣接して形成されているので、作業者がバランスを崩した際に、掛止部に掛止させた安全帯のフックが規制部によって移動が規制され、前記フックをステップ部の基端側（掛止部）で維持させることができる。これにより、ステップ部の先端側に大きな荷重が作用しない（ステップ部の基端側に大きな曲げモーメントが作用しない）上に、フックの移動による大きな衝撃力が作用することがなく、ステップボルトが折れ曲がったり破断したりするのを確実に防止することができ、作業者の安全を確実に確保することができる。
【００１６】
本発明の一態様として、前記掛止部は、位置決部又はステップ部の何れか一方に形成され、前記規制部は、位置決部又はステップ部上に形成された凸部で構成されてもよい。このようにすれば、掛止部に掛止させたフックが軸心方向に移動しようとしても凸部（規制部）と干渉することになり、掛止部に掛止させたフックが軸心方向に移動するのを確実に規制することができる。これにより、ステップ部の先端側で荷重が作用しない上に、フックの移動に伴う衝撃も発生することがなく、該ステップボルトの破断は勿論のこと、ステップボルトの変形も防止することができる。
【００１７】
また、本発明の他態様として、前記ステップ部又は位置決部の少なくとも何れか一方に連結されたリング体を備え、該リング体で前記掛止部及び規制部を構成するようにしてもよい。このようにすれば、フックをリング体に掛止させると、安全帯による引っ張りによってフックが移動しようとしてもリング体に沿った移動しかしないので、当該フックは、ステップ部の先端に向けて滑ることがない。これにより、ステップ部の先端側で荷重が作用しない上に、フックの移動に伴う衝撃も発生することがなく、該ステップボルトの破断は勿論のこと、ステップボルトの変形も防止することができる。
【発明の効果】
【００１８】
以上のように、本発明のステップボルトによれば、作業者の安全を確保すべく、安全帯のフックを確実に掛止させることができ、作業者がバランスを崩すことで安全帯を介して大きな荷重が作用しても折れ曲がったり破断したりすることがないという優れた効果を奏し得る。
【発明を実施するための最良の形態】
【００１９】
以下、本発明の第一実施形態に係るステップボルトについて、添付図面を参照しつつ説明する。
【００２０】
本実施形態に係るステップボルトは、送電線や電話線等を架線するための電柱や鉄塔等の架線用構造物に取り付けられ、該架線用構造物に対して作業者が昇降する際や、架線用構造物の高所で作業を行う際に用いられるものである。
【００２１】
本実施形態に係るステップボルトは、図１に示す如く、架線用構造物Ｔに挿通される棒状の挿通部２と、該挿通部２に略同心で連設された軸状のステップ部３とを基本構成としている。なお、図においては、該ステップボルト１を架線用構造物Ｔとしての鉄塔を構成する鋼材（鋼板）に取り付けた状態を示している。
【００２２】
前記挿通部２は、当該ステップボルト１を架線用構造物Ｔに螺設するための雄ネジ部２０が先端側に形成され、前記ステップ部３側には雄ネジ部２０と連続する非ネジ部２１が形成されている。なお、本実施形態に係るステップボルト１は、雄ネジ部２０にナットＮを螺嵌することで架線用構造物Ｔに取り付けるタイプのもので、前記非ネジ部２１は、架線用構造物Ｔを構成する鋼板の板厚と略同等又は板厚よりもやや短めに形成されている。
【００２３】
前記ステップ部３は、作業者が昇降動作や各種作業を行う際に把持したり足を載せたりする部分である。該ステップ部３の先端にはステップ部３よりも大径に設定された頭部３０が形成されており、作業者がステップ部３を把持したり足を載せたりするに際し、手や足が滑ってステップ部３から抜けたり踏み外したりすることがないようになっている。
【００２４】
該ステップボルト１は、雄ネジ部２０（挿通部２）よりもステップ部３側に、架線用構造物Ｔに取り付ける際に位置決めを行うための位置決部３１が設けられている。具体的に説明すると、本実施形態に係る位置決部３１は、前記非ネジ部２１とステップ部３との境界に端面が位置するように、ステップ部３の外周に対して鍔状に形成されている。これにより、位置決部３１は、前記挿通部２を架線用構造物Ｔに挿通した状態で、非ネジ部２１とステップ部３との境界上に位置する一端面が架線用構造物Ｔ（鋼板）の表面（一方の面）に当接する位置決面３２となるようになっている。
【００２５】
さらに、本実施形態に係るステップボルト１は、作業者が装着した安全帯ＳｂのフックＦを掛止させる掛止部３３と、該掛止部３３に掛止させたフックＦが軸心方向（ステップ部３の頭部３０（先端）側）に移動するのを規制する規制部３４とを備えている。該掛止部３３及び規制部３４は、掛止させたフックＦを介して安全帯Ｓｂによる引っ張り力が、ステップ部３の先端側で作用しないようにステップ部３の基端側に形成されている。
【００２６】
具体的に説明すると、本実施形態に係る掛止部３３は、軸状のステップ部３の基端部（位置決部３１に対してステップ部３の先端側で隣接する領域）で構成され、規制部３４は掛止部３３に対してステップ部３の先端側で隣接するように、ステップ部３の外周上に形成された凸部により構成されている。
【００２７】
本実施形態においては、ステップボルト１の上下を考慮することなく該ステップボルト１を架線用構造物Ｔに取り付けることができるように、前記規制部３４は、位置決部３１に対して軸心方向に間隔を有してステップ部３の全周に亘って鍔状に形成され、前記掛止部３３は、位置決部３１と規制部３４との間のステップ部３（凹部）により構成されている。これにより、掛止部３３（位置決部３１と規制部３４との間）にフックＦを掛止させると、位置決部３１と規制部３４とにより、フックＦが軸心方向に滑って移動するのを規制できるようになっている。
【００２８】
本実施形態に係るステップボルト１は、以上の構成からなり、該ステップボルト１を架線用構造物Ｔに取り付けるには、まず、挿通部２を架線用構造物Ｔ（鋼板）に穿設された貫通孔に挿通する。この状態で、位置決面３２（位置決部３１）が架線用構造物Ｔの一方の面に当接すると共に、雄ネジ部２０が架線用構造物Ｔの他方の面から突出した態様となる。
【００２９】
即ち、ステップボルト１は、位置決部３１によって架線用構造物Ｔに対して位置決めされた状態で、雄ネジ部２０が架線用構造物Ｔの一方の面よりも外側に位置しない状態となる。そして、架線用構造物Ｔの他方の面から外側に突出した雄ネジ部２０にナットＮを螺合させ、位置決部３１とナットＮとで架線用構造物Ｔに締め付け力を作用させることで当該ステップボルト１の取り付けが完了する。
【００３０】
そして、当該ステップボルト１を用いて架線用構造物Ｔに対して昇降したり、各種作業をしたりするに際し、掛止部３３に安全帯ＳｂのフックＦを掛止させると、該フックＦは規制部３４によって軸心方向の移動が規制された状態で掛止部３３に掛止されることになる。この際、作業者がバランスを崩して安全帯Ｓｂが引っ張られても、フックＦは規制部３４で軸心方向に移動が規制されているので、掛止部３３に掛止された状態で維持することになる。
【００３１】
そうすると、ステップ部３の基端部には、ステップ部３の先端に荷重が作用したときの曲げモーメントに比べて小さな曲げモーメントしか作用しない。その上、切欠係数の大きなネジ部分が架線用構造物Ｔの一方の面よりも外側に存在しないため、曲げモーメントが作用してもステップ部３の基端側の一部に応力集中が発生せず、ステップボルト１の折れ曲がりや破断が確実に防止されることになる。
【００３２】
なお、発明者は、雄ネジ部２０の一部が架線用構造物Ｔの一方の面から外側（ステップ部３側）に露出することのないように位置決部３１のみを設け、作業者とみなした錘（約７５Ｋｇ）を接続した安全帯Ｓｂ（約２ｍ）のフックＦをステップ部３の任意に位置にフックＦを掛止させ、該ステップボルト１と同じ高さから錘を落下させる実験を行った結果、フックＦがステップ部３の先端側（頭部３０側）に滑った後、ステップボルト１が変形又は破断するに至る場合があった。
【００３３】
その一方で、同条件の位置決部３１を設けると共に、フックＦを掛止する掛止部３３及び該掛止部３３に掛止させたフックＦの移動を規制する規制部３４をステップ部３の基端側に設け、フックＦの移動を規制した状態で、錘（約７５Ｋｇ）を同条件で落下させる実験を行った結果、ステップボルト１が破断することなく、また変形も一切起こらないことを確認している。即ち、発明者は、雄ネジ部２０が架線用構造物Ｔの一方の面側に露出しないように位置決部３１を設けるだけでは、安全性を確保することができない一方、前記位置決部３１、掛止部３３，及び規制部３４の全てを備えることで、作業者の安全を確実に確保できることを確認している。
【００３４】
以上のように、本実施形態に係るステップボルト１によれば、ステップ部３の基端側に安全帯ＳｂのフックＦを掛止させる掛止部３３とフックＦの移動を規制する規制部３４が形成されているので、安全帯ＳｂのフックＦを掛止部３３上（定位置）で確実に掛止させることができ、ステップ部３の基端側に作用する曲げモーメントを小さくすることができる。
【００３５】
その上、該ステップボルト１は、雄ネジ部２０よりもステップ部３側に、雄ネジ部２０を介して架線用構造物Ｔに螺設した際に架線用構造物Ｔに当接する位置決部３１が形成されているので、架線用構造物Ｔに螺設した状態で曲げ作用の生じる部分に雄ネジ部２０（ネジ溝）が存在せず応力が集中的に作用することを防止することができる。
【００３６】
これにより、本実施形態に係るステップボルト１は、作業者がバランスを崩すことで安全帯Ｓｂを介して大きな荷重が作用しても、変形したり（折れ曲がったり）破断したりすることがないといった優れた効果を奏し得る。
【００３７】
また、本実施形態に係るステップボルト１は、挿通部２を雄ネジ部２０と非ネジ部２１とで構成し、架線用構造物Ｔに挿通された部分にもネジ溝が存在しないように構成されているので、当該部分にも集中的な応力が作用せず、当該ステップボルト１の強度を確実に高めることができる。
【００３８】
次に、本発明の第二実施形態に係るステップボルトについて説明する。なお、本実施形態において、第一実施形態のステップボルト１の構成と同一の構成、或いはそれに相当する構成については、同一名称及び同一符号を付すこととし、同一の構成についての説明を割愛して第一実施形態と異なる構成のみについて説明することとする。
【００３９】
図２に示す如く、本実施形態に係るステップボルト１は、位置決部３１がステップ部３の基端部の外周に鍔状に形成されている。さらに、本実施形態に係るステップボルト１は、フックＦを掛止させる掛止部３３、及び掛止部３３に掛止させたフックＦがステップ部３の軸心方向に移動するのを規制する規制部３４として機能するリング体３５を備えている。即ち、リング体３５は、穴心がステップ部３の軸心と直交するように、位置決部３１及びステップ部３の一部に溶接されることで固定されており、フックＦを掛止させた状態で該フックＦがステップ部３の先端側に移動することがないようなっている。
【００４０】
本実施形態に係るステップボルト１は、以上の構成からなり、第一実施形態と同様の方法で架線用構造物Ｔに取り付けられることになる。そして、掛止部３３としてのリング体３５に安全帯ＳｂのフックＦが掛けられ、作業者が架線用構造物Ｔに対して昇降動作や、各種作業を行うことになる。この際、作業者がバランスを崩して安全帯Ｓｂが引っ張られても、フックＦは、位置決部３１に強固に固定されたリング体３５に掛止された状態で維持することになる。
【００４１】
そうすると、ステップ部３の基端部には、ステップ部３の先端に荷重が作用したときの曲げモーメントに比べて小さな曲げモーメントしか作用しない。その上、切欠係数の大きなネジ部分が架線用構造物Ｔの一方の面よりも外側に存在しないため、曲げモーメントが作用してもステップ部３の基端側の一部に応力集中が作用せず、ステップボルト１の変形乃至破断が確実に防止されることになる。
【００４２】
以上のように、本実施形態に係るステップボルト１によれば、第一実施形態と同様に、ステップ部３の基端側に作用する曲げモーメントを小さくすることができる上に、該基端部の一部に応力が集中的に作用することがなく、作業者がバランスを崩すことで安全帯Ｓｂを介して大きな荷重が作用しても変形したり破断したりすることがないといった優れた効果を奏し得る。
【００４３】
さらに、掛止部３３及び規制部３４を無端のリング体３５で構成するようにすることで、フックＦが抜け落ちるといった事態にはならない上に、フックＦが作業者の動作に伴って自在に揺動でき、作業者の動作が安全帯Ｓｂの着用によって制限されることもない。
【００４４】
次に、本発明の第三実施形態に係るステップボルトについて説明する。なお、本実施形態において、第一及び第二実施形態のステップボルト１の構成と同一の構成、或いはそれに相当する構成については、同一名称及び同一符号を付すこととし、同一の構成についての説明を割愛して第一及び第二実施形態と異なる構成のみについて説明することとする。
【００４５】
図３に示す如く、本実施形態に係るステップボルト１は、安全帯ＳｂのフックＦを掛止させる掛止部３３及びフックＦの移動を規制する規制部３４が位置決部３１上に形成されている。
【００４６】
具体的には、前記規制部３４は、前記位置決部３１の他端面の外周縁部に形成された凸部（本実施形態においては鍔状に形成された凸部）により構成されており、該ステップボルト１を架線用構造物Ｔに取り付けた際に、前記規制部３４と架線用構造物Ｔとの間に全周に亘って形成されるの凹部（位置決部３１の外周）で前記掛止部３３を構成するようになっている。
【００４７】
本実施形態に係るステップボルト１は以上の構成からなり、第一及び第二実施形態と同様に架線用構造物Ｔに取り付けられる。そして、掛止部３３に安全帯ＳｂのフックＦが掛けられ、作業者が架線用構造物Ｔに対して昇降動作や各種作業を行うことになる。この際、作業者がバランスを崩して安全帯Ｓｂが引っ張られても、フックＦは規制部３４で軸心方向に移動が規制されているので、掛止部３３に掛止された状態で維持することになる。
【００４８】
そうすると、ステップ部３の基端部には、ステップ部３の先端に荷重が作用したときの曲げモーメントに比べて小さな曲げモーメントしか作用しない。その上、切欠係数の大きなネジ部分が架線用構造物Ｔの一方の面よりも外側に存在しないため、曲げモーメントが作用してもステップ部３の基端側の一部に応力集中が発生せず、ステップボルト１の変形乃至破断が確実に防止されることになる。
【００４９】
以上のように、本実施形態に係るステップボルト１によれば、第一、及び第二実施形態と同様に、ステップ部３の基端側に作用する曲げモーメントを小さくすることができる上に、該基端部の一部に応力が集中的に作用することがなく、作業者がバランスを崩すことで安全帯Ｓｂを介して大きな荷重が作用しても変形したり破断したりすることがないといった優れた効果を奏し得る。
【００５０】
次に、本発明の第四実施形態に係るステップボルトについて説明する。なお、本実施形態において、第一乃至第三実施形態のステップボルトの構成と同一の構成又はそれに相当する構成については、同一名称及び同一符号を付すこととし、同一の構成については説明を割愛して第一乃至第三実施形態と異なる構成のみについて説明することとする。
【００５１】
図４に示す如く、本実施形態に係るステップボルト１は、段付き棒状に形成されており、架線用構造物Ｔに挿通される軸状の挿通部２と、該挿通部２よりも大径に設定され、該挿通部２に略同心で連設された段付き軸状のステップ部３とを基本構成としている。
【００５２】
前記ステップ部３は、上述の如く、段付き軸状に形成されており、前記挿通部２に接続された一端側（一端部）に、該挿通部２よりも大径に設定された小径部３ａが形成され、該小径部３ａに連続して該小径部３ａよりも大径に設定された大径部３ｂが形成されている。
【００５３】
該ステップボルト１は、ステップ部３の小径部３ａが挿通部２よりも大径に設定されているので、前記挿通部２を架線用構造物Ｔに挿通した状態で、非ネジ部２１とステップ部３との境界上に位置する端面（小径部３ａの端面）が架線用構造物Ｔ（鋼板）の表面に当接する位置決面３２となり、前記小径部３ａが位置決部３１として機能するようになっている。
【００５４】
さらに、本実施形態に係るステップボルト１は、ステップ部３が段付き棒状に形成されているので、作業者が装着した安全帯ＳｂのフックＦを掛止させる掛止部３３が小径部３ａで構成され、該掛止部３３に掛止させたフックＦが軸心方向に移動するのを規制する規制部３４が小径部３ａに連設された大径部３ｂ（大径部３ｂの端面）により構成されている。
【００５５】
本実施形態に係るステップボルト１は、以上の構成からなり、第一乃至第三実施形態と同様に架線用構造物Ｔに取り付けられる。そして、掛止部３３（ステップ部３の小径部３ａ）に安全帯ＳｂのフックＦが掛けられ、作業者が架線用構造物Ｔに対して昇降動作や、各種作業を行うことになる。この際、作業者がバランスを崩して安全帯Ｓｂが引っ張られても、フックＦは規制部３４（大径部３ｂの端面）で軸心方向に移動が規制されているので、掛止部３３に掛止された状態で維持することになる。
【００５６】
そうすると、ステップ部３の基端部には、ステップ部３の先端に荷重が作用したときの曲げモーメントに比べて小さな曲げモーメントしか作用しな上に、切欠係数の大きなネジ部分が架線用構造物Ｔの一方の面よりも外側に存在しないため、曲げモーメントが作用してもステップ部３の基端側の一部に応力集中が作用せず、ステップボルト１の変形乃至破断が確実に防止されることになる。
【００５７】
以上のように、本実施形態に係るステップボルト１によれば、第一乃至第三実施形態と同様に、ステップ部３の基端側に作用する曲げモーメントを小さくすることができる上に、該基端部の一部に応力が集中的に作用することがなく、作業者がバランスを崩すことで安全帯Ｓｂを介して大きな荷重が作用しても変形したり破断したりすることがないといった優れた効果を奏し得る。
【００５８】
尚、本発明のステップボルトは、上記第一乃至第四実施形態に限定されるものではなく、本発明の要旨を逸脱しない範囲内において種々変更を加え得ることは勿論である。
【００５９】
即ち、上記実施形態において、挿通部２を雄ネジ部２０と非ネジ部２１とで構成したが、これに限定されるものではなく、例えば、挿通部２全体を雄ネジ部２０で構成するようにしてもよい。このようにしても、位置決部３１を架線用構造物Ｔに当接させて位置決めした状態において、大きな切欠係数のネジ溝（雄ネジ部２０）が位置決部３１よりもステップ部３側に位置することがなく、ステップ部３の基端部に応力が集中することがない。従って、このようにしてもステップボルト１を曲げ荷重に十分耐え得ることのできるものにすることができる。但し、安全帯ＳｂのフックＦを掛止させる掛止部３３及びフックＦの移動を規制する規制部３４をステップ部３の基端側に設け、フックＦがステップ部３の先端側に移動するのを規制して、ステップ部３の先端側に荷重が作用しないようにすることは勿論のことである。
【００６０】
上記実施形態において、ステップボルト１の挿通部２を架線用構造物Ｔ（鉄塔）を構成する鋼板に挿通し、突出した雄ネジ部２０にナットＮを螺合することでステップボルト１を取り付けるようにしたが、これに限定されるものではなく、例えば、図５に示す如く、雌ネジ体Ｔｎが埋設された電柱のような架線用構造物Ｔである場合には、挿通部２の全部又は先端部に雄ネジ部２０を形成し、該雄ネジ部２０を架設用構造物Ｔ内の雌ネジ体Ｔｎに螺合させて取り付けるようにしてもよい。この場合であっても、位置決部３１が架線用構造物Ｔに当接した状態で、雄ネジ部２０の一部が架線用構造物Ｔの一方の面よりも外側に位置することがなく、上記実施形態と同様の作用及び効果を奏することができる。
【００６１】
上記実施形態において、ステップ部３を単なる軸状に構成したが、例えば、該ステップ部３の外周に滑り止めの凹凸を複数設けるようにしてもよい。
【００６２】
上記第一、第三及び第四実施形態において、安全帯ＳｂのフックＦが干渉可能な領域をドーナツ状となるように規制部３４をステップ部３の全周に亘って形成したが、これに限定されるものではなく、例えば、フックＦの一部が干渉できるように単独の凸部で規制部３４を構成するようにしてもよい。但し、この場合においては、ステップボルト１を架線用構造物Ｔに螺設した状態で凸部が上に向くように形成する必要があるため、ステップボルト１の取り付けを考慮すれば、規制部３４はステップ部３の全周に亘って形成されることが好ましい。
【００６３】
上記第二実施形態において、掛止部３３及び規制部３４として機能するリング体３５を位置決部３１及びステップ部３の一部に（位置決部３１及びステップ部３に跨るように）溶接するようにしたが、リング体３５の固定位置はこれに限定されるものではなく、例えば、位置決部３１のみに固定したり、ステップ部３のみに固定したりするようにしてもよい。即ち、掛止部３３及び規制部３４をリング体３５で構成する場合、該リング体３５は、ステップ部３の基端側に位置するように、位置決部３１及びステップ部３の少なくとも何れか一方に固定すればよい。
【図面の簡単な説明】
【００６４】
【図１】本発明の第一実施形態に係るステップボルトの正面図であって、架線用構造物としての鉄塔に取り付け、安全帯のフックを掛止させた状態を示す。
【図２】本発明の第二実施形態に係るステップボルトの正面図であって、架線用構造物としての鉄塔に取り付け、安全帯のフックを掛止させた状態を示す。
【図３】本発明の第三実施形態に係るステップボルトの正面図であって、架線用構造物としての鉄塔に取り付け、安全帯のフックを掛止させた状態を示す。
【図４】本発明の第四実施形態に係るステップボルトの正面図であって、架線用構造物としての鉄塔に取り付け、安全帯のフックを掛止させた状態を示す。
【図５】本発明の別の実施形態に係るステップボルトの正面図であって、架線用構造物としての電柱に取り付けた状態を示す。
【図６】従来のステップボルトの正面図であって、（イ）は、架線用構造物としての鉄塔に取り付けた状態を示し、（ロ）は、荷重が作用してステップボルトが折れ曲がった状態を示し、（二）は、荷重が作用してステップボルトが破断した状態を示す。
【符号の説明】
【００６５】
１…ステップボルト、２…挿通部、３…ステップ部、３ａ…小径部、３ｂ…大径部、２０…雄ネジ部、２１…非ネジ部、３０…頭部、３１…位置決部、３２…位置決面、３３…掛止部、３４…規制部、３５…リング体、Ｓｂ…安全帯、Ｆ…フック、Ｎ…ナット、Ｔ…架線用構造物、Ｔｎ…雌ネジ体
【図１】
2007056463.tif 000003
【図２】
2007056463.tif 000004
【図３】
2007056463.tif 000005
【図４】
2007056463.tif 000006
【図５】
2007056463.tif 000007
【図６】
2007056463.tif 000008